(57)【要約】【課題】  ＩＣカードに搭載したハイウェイカードの残額が不足している場合であっても、自動的に不足分の利用料金をクレジットカード機能あるいはＥＴＣカード機能によって清算することが可能となり、利便性が向上する。【解決手段】  利用料金に対してＩＣカードに搭載されているハイウェイカード機能としてのハイウェイカードの残額が不足している場合、利用料金からハイウェイカードの残額を全額引き去った後に、当該ＩＣカードに搭載されているクレジットカード機能、あるいは、ＥＴＣカード機能によってハイウェイカードの残額での不足分の利用料金を清算する清算処理を実行するようにしたものである。【選択図】      図１
2005100168.tif 000002
【特許請求の範囲】
【請求項１】
車両に乗車している利用者が所持しているＩＣカードと、有料道路の料金所に設置されるＩＣカード処理装置とからなる料金収受システムにおいて、
前記ＩＣカードは、
前記有料道路の利用料金の支払いに利用可能な金額情報と、前記有料道路の利用料金を前記金額情報とは異なる形態にて料金を支払うことが可能な決済情報と、が記録されているメモリを有し、
前記ＩＣカード処理装置は、
前記車両に乗車している利用者が所持している前記ＩＣカードにより有料道路の利用料金を徴収する場合、前記ＩＣカードのメモリに記録されている情報を読み取る読取手段と、
この読取手段により前記ＩＣカードのメモリに記録されている金額情報の金額が当該利用料金以上あるか否かを判断する判断手段と、
この判断手段により前記ＩＣカードのメモリに記録されている金額情報が当該利用料金以上あると判断した場合、前記ＩＣカードのメモリに記録されている金額情報から利用料金全額分を引き去ることにより当該利用料金を清算する第１の処理手段と、
前記判断手段により当該利用料金が前記ＩＣカードのメモリに記録されている金額情報が当該利用料金よりも少ないと判断した場合、前記ＩＣカードのメモリに記録されている金額情報により利用料金の一部を清算するとともに、前記金額情報で清算した利用料金の不足分の料金を前記ＩＣカードのメモリに記録されている決済情報により清算する第２の処理手段と、を有する、
ことを特徴とする料金収受システム。
【請求項２】
前記ＩＣカードのメモリに記録されている決済情報は、利用者のクレジットカードとして料金の決済が可能なクレジットカード情報であり、
前記第２の処理手段は、前記ＩＣカードのメモリに記録されている金額情報により利用料金の一部を清算するとともに、前記金額情報で清算した利用料金の不足分の料金を前記ＩＣカードのメモリに記録されているクレジットカード情報により清算する、ことを特徴とする前記請求項１に記載の料金収受システム。
【請求項３】
前記ＩＣカードのメモリに記録されている決済情報は、他の料金収受システムで料金を精算するためのカード情報であり、
前記第２の処理手段は、前記ＩＣカードのメモリに記録されている金額情報により利用料金の一部を清算するとともに、前記金額情報で清算した利用料金の不足分の料金を前記ＩＣカードのメモリに記録されているカード情報により清算する、ことを特徴とする前記請求項１に記載の料金収受システム。
【請求項４】
有料道路を通行する車両に乗車する利用者が所持しているＩＣカードと、このＩＣカードを処理するＩＣカード処理装置とからなる料金収受システムにおいて、
前記ＩＣカードは、
前記有料道路の利用料金の支払いに利用可能な金額情報と、前記有料道路の利用料金を前記金額情報とは異なる形態にて料金を支払うことが可能な決済情報と、が記録されているメモリを有し、
前記ＩＣカード処理装置は、
利用者が所持している前記ＩＣカードのメモリに記録されている決済情報によって前記金額情報の金額に積み増しする金額を徴収する処理手段と、
この処理手段により前記ＩＣカードのメモリに記録されている決済情報によって徴収した金額を前記ＩＣカードのメモリに記録されている金額情報の金額に加算して前記ＩＣカードのメモリの金額情報を更新する更新手段と、を有する、
ことを特徴とする料金収受システム。
【請求項５】
前記ＩＣカードのメモリに記録されている決済情報は、利用者のクレジットカードとして料金の決済が可能なクレジットカード情報であり、
前記処理手段は、前記ＩＣカードのメモリに記録されているクレジットカード情報によって前記金額情報の金額に積み増しする金額を徴収し、
前記書込み手段は、前記処理手段により前記ＩＣカードのメモリに記録されているクレジットカード情報によって徴収した金額を前記ＩＣカードのメモリに記録されている金額情報の金額に加算して前記ＩＣカードのメモリの金額情報を更新する、ことを特徴とする前記請求項４に記載の料金収受システム。
【請求項６】
前記ＩＣカードのメモリに記録されている決済情報は、他の料金収受システムで料金を精算するためのカード情報であり、
前記処理手段は、前記ＩＣカードのメモリに記録されているカード情報によって前記金額情報の金額に積み増しする金額を徴収し、
前記書込み手段は、前記処理手段により前記ＩＣカードのメモリに記録されているカード情報によって徴収した金額を前記ＩＣカードのメモリに記録されている金額情報の金額に加算して前記ＩＣカードのメモリの金額情報を更新する、ことを特徴とする前記請求項４に記載の料金収受システム。
【発明の詳細な説明】
【技術分野】
【０００１】
本発明は、例えば、有料の高速道路や有料道路の料金所において、利用可能な金額情報が記録されているＩＣカードを用いて利用料金の清算処理を行うＩＣカードを用いた料金収受システムに関する。
【背景技術】
【０００２】
近年、携帯可能な記憶媒体として、不揮発性のデータメモリとそれを制御するためのＣＰＵを有するＩＣチップを内蔵した、いわゆるＩＣカードが産業各方面で利用されてきている。特に、交通システムにおいては、ハイウェイカード、ＥＴＣカードなどのＩＣカード化が進められている。例えば、ハイウェイカードは、有料の高速道路や有料道路などで利用料金を支払うために用いられるカードである。このようなハイウェイカードには、金額情報が記録されており、その残額から利用料金を支払うことが可能となっている。
【０００３】
すなわち、従来のハイウェイカードを用いたシステムでは、高速道路や有料道路の出口に設けられている料金所で利用料金分の金額を引き去ることにより利用料金の清算を行う。このようなハイウェイカードをＩＣカード化した場合、ハイウェイカードとしてのＩＣカードには、データメモリに金額（残額）情報を保持し、その残額情報にて利用料金を支払うこととなる。また、ハイウェイカードをＩＣカード化した場合、利用者は、サービスエリアなどでハイウェイカードに対して残額の積み増しを行うことが可能となり、利便性の向上が期待できる。
【０００４】
しかしながら、高速道路の出口などでハイウェイカードとしてのＩＣカード内に保持されている残額が実際に支払うべき料金よりも少ない場合、不足分の金額を現金もしくはクレジットカードなどのハイウェイカードとは別の手段を用いて清算する必要がある。このようなハイウェイカードの残額が不足している場合、人手による不足分の金額の支払い処理が必要となり、現金あるいはクレジットカードのみによる利用料金の支払い処理よりも遅くなることがあるという問題点がある。
【発明の開示】
【発明が解決しようとする課題】
【０００５】
上記のような問題点を解決するために、本発明では、ＩＣカード化されたハイウェイカードを用いた利用料金の収受処理において、ハイウェイカードの残額が不足している場合であっても、利用料金の収受処理を効率的に実施することで、利用領域の収受を円滑化でき、利用性の向上できるＩＣカードを用いた料金収受システムを提供することを目的とする。
【課題を解決するための手段】
【０００６】
この発明の料金収受システムは、車両に乗車している利用者が所持しているＩＣカードと、有料道路の料金所に設置されるＩＣカード処理装置とからなるシステムにおいて、前記ＩＣカードは、前記有料道路の利用料金の支払いに利用可能な金額情報と、前記有料道路の利用料金を前記金額情報とは異なる形態にて料金を支払うことが可能な決済情報と、が記録されているメモリを有し、前記ＩＣカード処理装置は、前記車両に乗車している利用者が所持している前記ＩＣカードにより有料道路の利用料金を徴収する場合、前記ＩＣカードのメモリに記録されている情報を読み取る読取手段と、この読取手段により前記ＩＣカードのメモリに記録されている金額情報の金額が当該利用料金以上あるか否かを判断する判断手段と、この判断手段により前記ＩＣカードのメモリに記録されている金額情報が当該利用料金以上あると判断した場合、前記ＩＣカードのメモリに記録されている金額情報から利用料金全額分を引き去ることにより当該利用料金を清算する第１の処理手段と、前記判断手段により当該利用料金が前記ＩＣカードのメモリに記録されている金額情報が当該利用料金よりも少ないと判断した場合、前記ＩＣカードのメモリに記録されている金額情報により利用料金の一部を清算するとともに、前記金額情報で清算した利用料金の不足分の料金を前記ＩＣカードのメモリに記録されている決済情報により清算する第２の処理手段とを有することを特徴とする。
【０００７】
この発明の料金収受システムは、有料道路を通行する車両に乗車する利用者が所持しているＩＣカードと、このＩＣカードを処理するＩＣカード処理装置とからなるシステムにおいて、前記ＩＣカードは、前記有料道路の利用料金の支払いに利用可能な金額情報と、前記有料道路の利用料金を前記金額情報とは異なる形態にて料金を支払うことが可能な決済情報と、が記録されているメモリを有し、前記ＩＣカード処理装置は、利用者が所持している前記ＩＣカードのメモリに記録されている決済情報によって前記金額情報の金額に積み増しする金額を徴収する処理手段と、この処理手段により前記ＩＣカードのメモリに記録されている決済情報によって徴収した金額を前記ＩＣカードのメモリに記録されている金額情報の金額に加算して前記ＩＣカードのメモリの金額情報を更新する更新手段とを有することを特徴とする。
【発明の効果】
【０００８】
この発明によれば、ＩＣカード化されたハイウェイカードを用いた利用料金の支払い処理において、ハイウェイカードの残額が不足している場合であっても、利用料金の支払いを効率的に実施することで、利用料金の支払い処理を円滑化でき、利用性の向上できるＩＣカードを用いた料金収受システムを提供できる。
【発明を実施するための最良の形態】
【０００９】
以下、この発明の実施の形態について図面を参照して説明する。
【００１０】
この実施の形態は、本発明の携帯可能電子装置をＩＣカードに適用したものである。図１は、携帯可能電子装置としてのＩＣカード１を利用したＩＣカードシステムの全体構成を概略的に示す図である。
【００１１】
このＩＣカードシステムは、ＩＣカード１と、このＩＣカード１を処理するＩＣカード処理装置（ＩＣカード処理システム）２から構成されている。上記ＩＣカード処理装置２は、カードリーダライタ１２、端末装置１３、キーボード１４、ＣＲＴ１５、プリンタ１６から構成されている。上記カードリーダライタ１２は、上記端末装置１３と接続されている。また、上記端末装置１３は、キーボード１４、ＣＲＴディスプレイ１５、およびプリンタ１６と接続されている。
【００１２】
上記カードリーダライタ１２は、コネクタ（コンタクト部）等の接触式あるいはアンテナを用いた無線式（非接触式）で構成される。このカードリーダライタ１２は、上記端末装置１３による制御に基いてＩＣカード１とのデータのやり取りを行う。上記キーボード１４は、コマンドやその他のデータを入力する。上記ＣＲＴディスプレイ１５は、各種データを表示したり、操作案内などを表示したりする。上記プリンタ１６は、処理結果などの各種データを印刷出力する。
【００１３】
本実施の形態においては、上記ＩＣカード１を利用者が所持し、上記のように構成されるＩＣカードシステムが高速道路などの有料道路の出口あるいは入口などに設けられている料金所（以下、単に料金所とも称する）、あるいは有料道路等のサービスエリアなどに設置されるものとする。
【００１４】
例えば、上記料金所で料金の支払い処理を行う場合、利用者は、自身が所持しているＩＣカード１をカードリーダライタ１２に挿入する。これにより、ＩＣカード処理装置２が利用料金の収受を実行するものとする。なお、カードリーダライタ１２以外の端末装置１３などは、料金所が設置されている出口あるいは入口のブース（図示しない）内や管理センタ（図示しない）などのカードリーダライタ１２とは別の箇所に設置するようにしても良い。また、
また、本ＩＣカードシステムでは、後述するように、ＩＣカード１にハイウェイカードとしての機能に加えて、クレジットカードとしての機能、あるいは、ＥＴＣカードとしての機能などのハイウェイカード以外の利用料金に対する決済方法を実現する機能を持たせるものとするが、利用料金の支払い優先順位は、ハイウェイカード機能による支払いが第１番目の支払い方法として指定されているものとする。
【００１５】
なお、ＥＴＣカードは、高速道路などの有料道路に用いられる自動料金収受システム（ＥＴＣ；ｅｌｅｃｔｒｏｎｉｃ  Ｔｏｌｌ  Ｃｏｌｌｅｃｔｉｏｎ  Ｓｙｓｔｅｍ）に用いられるものである。上記自動料金収受システムは、上記ＥＴＣカードがセットされる車両に設置された車載機と料金所に設けられたシステムとが無線通信を行うことにより料金の決済を行うものである。また、上記ＥＴＣカードは、一般的に、別納した金額により料金の決済を行うものと、クレジットカード機能により料金の決済を行うものとの２種類がある。別納した金額により料金の決済を行うＥＴＣカードでは、予め別途支払った金額に応じて金額の決済を行う。また、クレジットカード機能による金額の決済を行うＥＴＣカードでは、通常のクレジットカードと同様にクレジットカード会社が利用料金を後で利用者に請求することにより金額の決済を行う。ここでは、ＥＴＣカードとしては別納した金額に応じて金額の決済を行うものを想定するものとする。
【００１６】
次に、上記ＩＣカード１の構成について説明する。
【００１７】
図２は、ＩＣカード１の構成を概略的に示すものである。ＩＣカード１は、制御素子（ＣＰＵ）１０１、データメモリ１０２、ワーキングメモリ１０３、プログラムメモリ１０４、コンタクト部１０５などから構成されている。これらのうち、制御素子１０１、データメモリ１０２、ワーキングメモリ１０３、プログラムメモリ１０４（図２の破線内の部分）は、ＩＣチップ１００で構成されている。上記ＩＣチップ１００と上記コンタクト部１０５とは一体的にＩＣモジュール化されて、プラスチックカードなどで形成されるＩＣカード１の本体内に埋設されている。
【００１８】
上記制御素子１０１は、例えばＣＰＵで構成され、ＩＣカード全体を制御する制御部として機能する。
【００１９】
上記データメモリ１０２は、記憶内容の消去が可能な不揮発性のメモリである。このデータメモリ１０２は、各種データの記憶に使用され、たとえば、ＥＥＰＲＯＭなどで構成されている。
【００２０】
上記ワーキングメモリ１０３は、上記制御素子１０１が処理を行う際の処理データを一時的に保持するためのメモリである。このワーキングメモリ１０３は、たとえば、ＲＡＭなどの揮発性メモリで構成される。
【００２１】
上記プログラムメモリ１０４は、制御素子１０１によりＩＣカードを制御するための制御用のプログラムなどが記憶される。このプログラムメモリ１０４は、たとえば、マスクＲＯＭで構成される。
【００２２】
上記コンタクト部１０５は、上記カードリーダ／ライタ１２との電気的な接触を得るための接触部分である。
【００２３】
なお、ＩＣカード１は、上記コンタクト部１０５の代わりにアンテナを用いることにより、アンテナとＩＣチップとから構成される非接触式のＩＣカード（無線カード）を用いるようにしても良い。なお、コンタクト部１０５の代わりにアンテナを設けた無線カードをＩＣカード１として用いる場合、上記カードリーダライタ１２は、アンテナを用いた非接触式のもので構成される。
【００２４】
次に、ＩＣカード１のデータメモリ１０２内で管理されるファイルの構造について説明する。  
図３は、データメモリ１０２内で管理されるファイル構造を示す。
【００２５】
図３に示すように、データメモリ１０２内で管理されるファイルは、ＭＦ（マスターファイル；Ｍａｓｔｅｒ  Ｆｉ１ｅ）２０１、ＤＦ（ディジネテッドファイル；Ｄｅｄｉｃａｔｅｄ  ＦｉＩｅ）２１１、２１２、２１３、ＥＦ（エレメンタリーファイル；Ｅ１ｅｍｅｎｔａｒｙ  Ｆｉ１ｅ）２２１、２３１、２４１からなる。
【００２６】
上記のような各ファイル（ＭＦ、ＤＦ、ＥＦ）は、ファイル定義情報とそのファイル定義情報で定義されたデータエリアから構成される。これらのデータメモリ１０２内における各ファイルの構造は、ＯＳ（オペレーティングシステム；Ｏｐｅｒａｔｉｎｇ  Ｓｙｓｔｅｍ）で用いられるファイルのディレクトリ構造と同様な階層構造となっている。
【００２７】
すなわち、ＩＣカード１のデータメモリ１０２のファイル構造は、ルートディレクトリとしてのＭＦ２０１があり、その下にＤＦ２１１、２１２、２１３が構成され、さらに、各ＤＦ２１１、２１２、２１３の下には、それぞれＥＦ２２１、２３１、２４１が存在する。各ＤＦ２１１、２１２、２１３は、それぞれ各アプリケーションに相当し、その下に存在するＥＦ２２１、２３１、２４１が各アプリケーションのデータファイルとして用いられる。
【００２８】
また、本実施の形態のＩＣカード１は、ハイウェイカード機能、クレジットカード機能、ＥＴＣカード機能の各機能を備えており、上記データメモリ１０２には、図３に示すように、ＤＦ２１１がハイウェイカード機能用のＤＦ、ＤＦ２１２がクレジットカード機能用のＤＦ、ＤＦ２１３がＥＴＣカード機能用のＤＦとして使用されている。
【００２９】
図３に示す例では、上記ＤＦ２１１はハイウェイカードとして機能するためのアプリケーションを構成している。上記ＤＦ２１１の下のＥＦ２２１は、ハイウェイカード用のアプリケーションで用いられるデータファイルとして機能し、例えば、残額情報が記録される。また、上記ＤＦ２１２はクレジットカードとして機能するためのアプリケーション（クレジットカード用のアプリケーション）を構成している。上記ＤＦ２１２の下のＥＦ２３１は、クレジットカード用のアプリケーションで用いられるデータファイルとして機能し、例えば、クレジットカードの会員番号などが記録される。また、上記ＤＦ２１３は、ＥＴＣカードとして機能するためのアプリケーションを構成している。上記ＤＦ２１３の下のＥＦ２４１は、ＥＴＣカード用のアプリケーションで用いられるデータファイルとして機能し、例えば、ＥＴＣカードの会員番号などが記録される。
【００３０】
次に、上記のように構成されるＩＣカードシステムにおける料金支払い時の処理について説明する。
【００３１】
図４は、本ＩＣカードシステムでの利用料金の収受処理を説明するためのフローチャートである。ここでは、高速道路の料金所に設置されたＩＣカードシステムによって高速道路の利用料金を支払う場合を想定して説明する。また、ＩＣカード１は、少なくともハイウェイカード機能を有しているものとし、ハイウェイカード機能に加えて、クレジットカード機能あるいはＥＴＣカード機能を有するＩＣカード１に対しては、ハイウェイカード機能による利用料金の支払い（清算）処理を優先して行うように設定されているものとする。
【００３２】
また、利用料金が入場場所に応じて決まる料金体系となっている場合、本ＩＣカードシステムでは、利用者の入場場所に基づいて利用者から徴収すべき利用料金を算出するようになっている。例えば、高速道路の入場時に利用者が受取った磁気ストライプを有する通行券から入場場所を判定して利用料金を算出するようにしても良いし、入場時に入場場所を示す情報をＩＣカード１に記録しておき、ＩＣカード１から入場場所を読み出して利用料金を算出するようにしても良い。
【００３３】
なお、前者のように通行券から入場場所を判定して利用料金を算出する場合には通行券の磁気ストライプから入場場所を示す情報を読み取る手段が必要となる。また、後者の場合、例えば、ＥＴＣなどによって入場時にＩＣカード１に入場場所を示す情報を記録することも可能である。以下では、ＩＣカード１に入場場所が記憶されていることを前提として高速道路に出口に設けられている料金所での動作について説明する。
【００３４】
すなわち、少なくともハイウェイカード機能を有しているＩＣカード１を所持している利用者が高速道路の料金所を通過する際、利用者は、料金所に設置されているカードリーダライタ１２の図示しない挿入口にＩＣカード１を挿入する（ステップＳ１１）。すると、上記端末装置１３は、上記カードリーダライタ１２により利用者が挿入したＩＣカード１のデータメモリ１０２に記録されている入場場所を示す情報を読み取り、当該利用者から徴収すべき利用料金を算出する（ステップＳ１２）。当該利用者に対する利用料金を算出すると、上記端末装置１３は、利用者が挿入したＩＣカード１２に搭載されている機能による利用料金の清算処理を行う。
【００３５】
ここではハイウェイカード機能による支払いを優先して実行するように設定されているため、上記端末装置１３は、上記カードリーダライタ１２により当該ＩＣカード１のデータメモリ１０２におけるハイウェイカード機能用のＤＦ２１１にアクセスし、当該ＩＣカード１のハイウェイカード機能による清算処理を実行する（ステップＳ１３）。このハイウェイカード機能による清算処理は、当該ＩＣカード１のデータメモリ１０２におけるハイウェイカード機能用のＤＦ２１１内のＥＦ２２１に記録されているハイウェイカードの残額を示す残額情報に基づいて実行される。
【００３６】
ここで、上記ＥＦ２２１に記録されているハイウェイカードの残額が利用料金よりも多い場合、上記端末装置１３は、上記ＥＦ２２１に記録されているハイウェイカードの残額から利用料金を引き去った金額を上記カードリーダライタ１２により当該ＩＣカード１のハイウェイカードの残額として更新する。すなわち、上記ＥＦ２２１に記録されているハイウェイカードの残額が利用料金よりも多い場合、上記ＩＣカード処理装置２側では、当該ＩＣカード１のハイウェイカード機能により利用料金を全額分徴収したこととなり（ステップＳ１４、ＹＥＳ）、当該利用者に対する利用料金の清算処理が完了する（ステップＳ１５）。
【００３７】
また、上記ＥＦ２２１に記録されているハイウェイカードの残額が利用料金よりも少ない場合、つまり、ハイウェイカードの残額が不足している場合、上記端末装置１３は、利用料金から上記ＥＦ２２１に記録されている残額分を引き去った不足分の金額（以下、不足分の利用料金と称する）を算出するとともに、上記カードリーダライタ１２により当該ＩＣカード１のハイウェイカードの残額を「０」に書き換える。つまり、この場合、上記端末装置１３は、まず、当該ＩＣカード１のハイウェイカード機能により利用料金の一部を清算し、不足金額を算出しておく。
【００３８】
さらに、当該ＩＣカード１のハイウェイカード機能により利用料金全額分の清算が完了しなかった場合（ステップＳ１４、ＮＯ）、上記端末装置１３は、当該ＩＣカード１がクレジットカード機能を搭載しているか否かを判断する（ステップＳ１６）。この判断は、当該ＩＣカード１のデータメモリ１０２にクレジットカード機能用のＤＦが設けられているか否かによって判断される。
【００３９】
上記判断により当該ＩＣカード１がクレジットカード機能を搭載していると判断した場合（ステップＳ１６、ＹＥＳ）、上記端末装置１３は、ハイウェイカード機能により清算した利用料金の不足分の利用料金（差額）を当該ＩＣカード１に搭載されているクレジットカード機能によって決済する清算処理を実行する（ステップＳ１７）。なお、上記クレジットカード機能による金額の決済は、上記端末装置１３がクレジットカード会社のホストコンピュータ等との通信を行うことにより、通常のクレジットカードシステムと同様な手順にて行われる。
【００４０】
これにより、当該ＩＣカード１のハイウェイカード機能により清算した利用料金の不足分の利用料金に対するクレジットカード機能による清算処理が終了すると、当該利用者に対する利用料金全額分の清算処理が完了する（ステップＳ１５）。
【００４１】
また、上記判断により当該ＩＣカード１がクレジットカード機能を搭載していないと判断した場合（ステップＳ１６、ＮＯ）、上記端末装置１３は、当該ＩＣカード１がＥＴＣカード機能を搭載しているか否かを判断する（ステップＳ１８）。この判断は、当該ＩＣカード１のデータメモリ１０２にＥＴＣカード機能用のＤＦが設けられているか否かによって判断される。
【００４２】
上記判断により当該ＩＣカード１がＥＴＣカード機能を搭載していると判断した場合（ステップＳ１８、ＹＥＳ）、上記端末装置１３は、当該ＩＣカード１のハイウェイカード機能により清算した利用料金の不足分の利用料金（差額）を当該ＩＣカード１に搭載されているＥＴＣカード機能によって決済する清算処理を実行する（ステップＳ１９）。なお、上記ＥＴＣカード機能による金額の決済は、上記端末装置１３がＥＴＣカードを運用している会社あるいは団体のホストコンピュータ等との通信を行うことにより、通常のＥＴＣカードシステムと同様な手順にて行われる。
【００４３】
これにより、当該ＩＣカード１のハイウェイカード機能により清算した利用料金の不足分の利用料金に対するＥＴＣカード機能による清算処理が終了すると、当該利用者に対する利用料金全額分の清算処理が完了する（ステップＳ１５）。
【００４４】
また、上記判断により当該ＩＣカード１がＥＴＣカード機能を搭載していないと判断した場合（ステップＳ１８、ＮＯ）、上記端末装置１３は、当該ＩＣカード１のハイウェイカード機能により清算した利用料金の不足分の金額等を上記ＣＲＴ１５等に表示し、利用料金が全額分支払われていないことを利用者及び係員に報知する。これにより、ハイウェイカードによる支払いの不足分の利用料金（差額）は、係員対応によって、現金にて清算する清算処理が実行される（ステップＳ２０）。
【００４５】
上記のように、利用料金に対して、ＩＣカードに搭載されているハイウェイカード機能としてのハイウェイカードの残額が不足している場合、利用料金からハイウェイカードの残額を全額引き去った後に、当該ＩＣカードに搭載されているクレジットカード機能、あるいは、ＥＴＣカード機能によってハイウェイカードの残額での不足分の利用料金を清算する清算処理を実行するようにしたものである。
【００４６】
これにより、ＩＣカードに搭載したハイウェイカードの残額が不足している場合であっても、自動的に不足分の利用料金をクレジットカード機能あるいはＥＴＣカード機能によって清算することが可能となり、利便性が向上する。
【００４７】
次に、上記ＩＣカード１に搭載されているハイウェイカード機能の残額を積み増しする場合の手順について説明する。
【００４８】
図５は、本ＩＣカードシステムでの上記ＩＣカードに搭載されているハイウェイカード機能の残額を積み増しする処理を説明するためのフローチャートである。以下に説明するようなハイウェイカード機能の残額の積み増し処理は、例えば、高速道路内のサービスエリアなどに設置されたＩＣカード処理装置２によって行うことが可能であるものとする。
【００４９】
例えば、サービスエリアなどでＩＣカード１の利用者が予めハイウェイカード機能の残額が少ないことを把握していた場合、利用者は、当該ＩＣカード１に搭載されているハイウェイカード機能の残額をＩＣカード処理装置２により積み増しする処理を行う。
【００５０】
まず、少なくともハイウェイカード機能を有しているＩＣカード１を所持している利用者は、サービスエリアなどに設置されている残額の積み増し用のカードリーダライタ１２に当該ＩＣカード１を挿入するとともに（ステップＳ３１）、ハイウェイカード機能の残額に積み増しする金額を上記キーボード１４により入力する（ステップＳ３２）。これらの操作は、セキュリティ性を確保するため、利用者からの申し出を受けた係員が行うようにしても良い。
【００５１】
上記ＩＣカード１が挿入されたカードリーダライタ１２は、当該ＩＣカード１のデータメモリ１０２に設けられている各ＤＦを参照することにより、当該ＩＣカード１が搭載しているハイウェイカード機能以外の金額決済可能な機能を判断する。これにより、上記カードリーダライタ１２は、当該ＩＣカード１に搭載されているハイウェイカード機能以外の金額決済が可能な機能をハイウェイカード機能の残額に積み増す金額の支払い方法として上記ＣＲＴ１５に表示する。この状態において、利用者は、ハイウェイカード機能の残額に対する金額の積み増しの方法を選択する（ステップＳ３３）。この操作も、セキュリティ性を確保するため、利用者からの申し出を受けた係員が行うようにしても良い。
【００５２】
例えば、上記ＩＣカード１にクレジットカード機能とＥＴＣカード機能とが搭載されている場合、ハイウェイカード機能の残額に対する積み増し金額は、現金による支払いのほかに、クレジットカード機能による支払い、ＥＴＣカード機能による支払いが選択可能となる。
【００５３】
ここで、利用者が金額の積み増し方法を選択すると、上記端末装置１３は、選択された方法によるハイウェイカード機能の残額に対する金額の積み増し処理を開始する（ステップＳ３４）。
【００５４】
例えば、クレジットカード機能による金額の積み増しが選択された場合（ステップＳ３５、ＹＥＳ）、上記端末装置１３は、当該ＩＣカード１に搭載されているクレジットカード機能により支払われる金額を当該ＩＣカード１に搭載されているハイウェイカード機能の残額に積み増しする処理を実行する（ステップＳ３６、Ｓ４０）。
【００５５】
このクレジットカード機能による積み増し処理において、上記端末装置１３は、まず、上記カードリーダライタ１２にて当該ＩＣカード１のデータメモリ１０２に記録されているクレジットカード機能用のＤＦを読み取り、利用者に指定された積み増し金額をクレジットカード機能の決済方法にて徴収する（ステップＳ３６）。当該ＩＣカード１のクレジットカード機能によって積み増し金額が徴収できた場合、上記端末装置１３は、クレジットカード機能により徴収した金額と現在のハイウェイカード機能の残額情報の残額とを加算した金額を算出し、その加算した金額を新たなハイウェイカード機能の残額情報として書き換える（ステップＳ４０）。これにより、上記端末装置１３は、ＩＣカード１のクレジットカード機能により徴収した金額を当該ＩＣカードのハイウェイカード機能の残額に積み増しする。
【００５６】
なお、上記クレジットカード機能による金額の決済は、上記端末装置１３がクレジットカード会社のホストコンピュータ等との通信を行うことにより、通常のクレジットカードシステムと同様な手順にて行われる。
【００５７】
また、ＥＴＣカード機能による金額の積み増しが選択された場合（ステップＳ３７、ＹＥＳ）、上記端末装置１３は、当該ＩＣカード１に搭載されているＥＴＣカード機能により支払われる金額を当該ＩＣカード１に搭載されているハイウェイカード機能の残額に積み増しする処理を実行する（ステップＳ３８、Ｓ４０）。
【００５８】
このＥＴＣカード機能による積み増し処理において、上記端末装置１３は、まず、上記カードリーダライタ１２にて当該ＩＣカード１のデータメモリ１０２に記録されているＥＴＣカード機能用のＤＦを読み取り、利用者に指定された積み増し金額をＥＴＣカード機能の決済方法にて徴収する（ステップＳ３８）。
【００５９】
当該ＩＣカード１のＥＴＣカード機能によって積み増し金額が徴収できた場合、上記端末装置１３は、ＥＴＣカード機能により徴収した金額と現在のハイウェイカード機能の残額情報の残額とを加算した金額を算出し、その加算した金額を新たなハイウェイカード機能の残額情報として書き換える（ステップＳ４０）。これにより、上記端末装置１３は、ＩＣカード１のＥＴＣカード機能により徴収した金額を当該ＩＣカードのハイウェイカード機能の残額に積み増しする。
【００６０】
なお、上記ＥＴＣカード機能による金額の決済は、上記端末装置１３がＥＴＣカードを運用している会社あるいは団体のホストコンピュータ等との通信を行うことにより、通常のＥＴＣカードシステムと同様な手順にて行われる。
【００６１】
また、現金による金額の積み増しが選択された場合（ステップＳ３５及びＳ３７で共にＮＯ）、上記端末装置１３は、現金によって支払われる金額を当該ＩＣカード１に搭載されているハイウェイカード機能の残額に積み増しする処理を実行する（ステップＳ３９、Ｓ４０）。
【００６２】
この現金による積み増し処理において、上記端末装置１３は、まず、利用者から現金を徴収し、その現金を金額を計数する（ステップＳ３９）。現金の計数は、上記ＩＣカード処理装置に現金処理部を設けて利用者から徴収した現金を計数するようにしても良いし、係員が利用者から徴収した現金を計数してその金額をキーボード１４等により入力するようにしても良い。
【００６３】
利用者から現金で積み増し金額として徴収できた場合、上記端末装置１３は、利用者から現金で徴収した金額と現在のハイウェイカード機能の残額情報の残額とを加算した金額を算出し、その加算した金額を新たなハイウェイカード機能の残額情報として書き換える（ステップＳ４０）。これにより、上記端末装置１３は、利用者から現金で徴収した金額を当該ＩＣカード１のハイウェイカード機能の残額に積み増しする。なお、この現金による積み増し処理では、上記ステップＳ３２の積み増し金額の入力を省略し、利用者から徴収した現金の金額を積み増し金額として当該ＩＣカード１のハイウェイカード機能の残額に積み増しするようにしても良い。
【００６４】
上記のように、ＩＣカード１にハイウェイカード機能に加えて、クレジットカード機能あるいはＥＴＣカード機能を搭載し、上記クレジットカード機能あるいは上記ＥＴＣカード機能により決済される金額をハイウェイカード機能の残額に対して積み増しするようにしたものである。これにより、現金を持たなくとも、１枚のＩＣカードのみでハイウェイカード機能として利用可能な残額を積み増しすることができ、利便性を向上させることができる。
【００６５】
なお、上記した実施の形態では、ハイウェイカード機能に加えて、クレジットカード機能またはＥＴＣカード機能を１枚に搭載したＩＣカードを利用したシステムについて説明したが、全ての機能、または、他の決済アプリケーションを搭載したＩＣカードを本ＩＣカードシステムに利用することも可能である。また、上記した実施の形態では、ＩＣカード１の具体例として接触式のＩＣカードを用いた場合について説明したが、非接触式のＩＣカード、あるいは、接触及び非接触の両機能を備えたＩＣカードにより実現することも可能である。
【図面の簡単な説明】
【００６６】
【図１】本発明の料金収受システムの実施の形態に係るＩＣカードシステムの概略構成を示すブロック図。
【図２】ＩＣカードの概略構成を示すブロック図。
【図３】ＩＣカード内のデータメモリに記録される情報としてのファイル構造を模式的に示す図。
【図４】ＩＣカードシステムによって有料道路の利用料金を徴収する際の動作を説明するためのフローチャート。
【図５】ＩＣカードに搭載されているハイウェイカード機能の残額を積み増しする際の動作を説明するためのフローチャート。
【符号の説明】
【００６７】
１…ＩＣカード、２…ＩＣカード処理装置、１２…カードリーダライタ、１３…端末装置、１４…キーボード、１５…ＣＲＴ、１００…ＩＣチップ、１０１…制御素子、１０２…データメモリ、１０５…コンタクト部、２０１…ＭＦ、２１１、２１２、２１３…ＤＦ、２２１、２３１、２４１…ＥＦ
【図１】
2005100168.tif 000003
【図２】
2005100168.tif 000004
【図３】
2005100168.tif 000005
【図４】
2005100168.tif 000006
【図５】
2005100168.tif 000007